(57)【特許請求の範囲】
【請求項１】
自装置の位置情報を取得する位置情報取得部と、
電力を供給する電力供給部と、
いずれか一方もしくは双方同時に動作する移動体通信網を用いた無線通信を行う第１無線通信部及びインターネットを用いた無線通信を行う第２無線通信部を少なくとも含み、前記電力供給部から電力を使用して動作する電力消費部と、
前記電力消費部の動作による電力使用状態に変更があった場合に、変更後の電力使用状態及び前記位置情報取得部により取得された位置情報を対応付けて記憶し、且つ、前記第２無線通信部が特定の接続先を検出した地点の位置情報を記憶する条件記憶部と、
前記位置情報取得部により取得された位置情報が前記条件記憶部に記憶されている位置情報と一致した場合に、該位置情報に対応する電力使用状態となるように前記電力消費部を制御し、且つ、前記第１無線通信部及び前記第２無線通信部の双方同時に動作させる指示を受けた場合に、通信ができなくなった位置が、前記条件記憶部に記憶されている前記第２無線通信部が特定の接続先を検出したときの位置から所定距離より離れていれば前記第２無線通信部の動作を停止し、前記所定距離以内であれば前記第２無線通信部を動作させるよう制御する電力制御部と
を備えたことを特徴とする移動通信端末装置。
【請求項２】
前記条件記憶部は、前記電力消費部に対する動作の開始指示及び停止指示のいずれかを受けた場合を、動作による電力使用状態に変更があった場合とすることを特徴とする請求項１に記載の移動通信端末装置。
【請求項３】
前記電力消費部による動作状態を監視し、該動作状態を前記電力制御部に通知する動作監視部をさらに備え、
前記電力制御部は、前記動作監視部から受信した前記動作状態が所定条件を満たした場合に電力使用状態を変更するよう前記電力消費部を制御し、
前記条件記憶部は、前記電力制御部により変更された電力使用状態及び前記電力制御部により電力使用状態が変更された地点の位置情報を対応付けて記憶する
ことを特徴とする請求項１又は請求項２に記載の移動通信端末装置。 
【請求項４】
前記電力制御部は、前記第１無線通信部及び前記第２無線通信部の双方が動作している状態で、前記第１無線通信部及び前記第２無線通信部のいずれか一方が所定期間使用されていないことを前記動作監視部の情報を基に検出した場合に前記所定条件を満たしたと判定し、前記一方の動作を停止するよう制御する
ことを特徴とする請求項３に記載の移動通信端末装置。
【請求項５】
前記電力制御部は、一定期間からの前記電力消費部に対する動作指示の入力を受けない場合、電力の供給量を抑える省電力モードで前記電力消費部を制御し、前記省電力モードの状態で前記電力消費部に対する動作指示の入力を受けると前記省電力モードを解除するよう前記電力消費部を制御し、前記省電力モードを解除したときに、前記位置情報取得部により取得された位置情報が前記条件記憶部に記憶されている位置情報と一致するか否かを判定することを特徴とする請求項１〜請求項４のいずれか一つに記載の移動通信端末装置。
【請求項６】
前記位置情報取得部は、前記位置情報として自装置の周辺雑音を収集し、収集した前記周辺雑音を基に周辺雑音分析を行い位置種別を判定し、判定した位置種別を前記位置情報として取得することを特徴とする請求項１〜請求項５のいずれか一つに記載の移動通信端末装置。
【請求項７】
前記第１無線通信部は、ＷｉＦｉによる通信を行い、前記第２無線通信部は、３Ｇ通信による通信を行うことを特徴とする請求項１〜請求項６のいずれか一つに記載の移動通信端末装置。
【請求項８】
自装置の位置情報を取得し、
いずれか一方もしくは双方同時に動作する移動体通信網を用いた無線通信を行う第１無線通信部及びインターネットを用いた無線通信を行う第２無線通信部の動作を少なくとも含む電力を消費する動作による電力使用状態に変更があった場合、変更後の電力使用状態及び前記位置情報を対応付けて記憶し、
前記第２無線通信部が特定の接続先を検出した地点の位置情報を記憶し、
自装置の位置情報が記憶している位置情報と一致した場合に、該位置に対応する電力使用状態となるように自装置を制御し、
前記第１無線通信部及び前記第２無線通信部の双方同時に動作させる指示を受けた場合に、通信ができなくなった位置が、記憶部に記憶されている前記第２無線通信部が特定の接続先を検出したときの位置から所定距離より離れていれば前記第２無線通信部の動作を停止し、前記所定距離以内であれば前記第２無線通信部を動作させるよう制御する
ことを特徴とする移動通信端末装置制御方法。
【発明の詳細な説明】
【技術分野】
【０００１】
本発明は、移動通信端末装置及び移動通信端末装置制御方法に関する。
【背景技術】
【０００２】
移動通信端末装置は、内蔵の充電式バッテリーにより動作する。そして、充電式バッテリーの充電を行うためには、固定電源に接続するなどする必要がある。このように固定電源に接続した場合、移動通信端末装置を携帯することができないなどの不便が生じる。そのため、利用者としては、なるべく長い間充電を行わずに移動通信端末装置を使用できることが好ましい。ただし、充電式バッテリーには決められた充電容量がある。そのため、動作時間を長期化するために、動作時の消費電力を低減することが要求される。このような消費電力の低減の要求への対応として、使用していない機能がある場合に、その機能を利用者の操作を邪魔せずに効率的に電源制御することが好ましい。ここで、常時の継続使用が要求されない機能としては、例えば、ＷｉＦｉ（登録商標）、Ｂｌｕｅｔｏｏｔｈ（登録商標）、移動通信網接続機能、ＧＰＳ（Global  Positioning  System）及びＬＣＤ（Liquid  Crystal  Display）の表示機能などがある。
【０００３】
このような電源制御のために以下のような従来技術が提案されている。例えば、ＷｉＦｉアクセスポイント位置情報又はＧＰＳによる位置情報取得機能や移動体通信網の基地局情報から得られる位置情報を利用して、位置情報を割り出し、予め登録された位置において登録情報に従った電源制御を行う従来技術が提案されている。また、利用するアプリケーション毎に起動しておく機能を登録又は学習し、その登録又は学習した情報に基づいて電源制御を行う従来技術が提案されている。さらに、道路上の特定の位置における車の挙動を学習して、同一の場所で同一の操作を実施する従来技術が提案されている。
【先行技術文献】
【特許文献】
【０００４】
【特許文献１】特開２００８−１８２５０７号公報
【特許文献２】特開２００６−５０５１０号公報
【特許文献３】特開２００８−２７５５７５号公報
【発明の概要】
【発明が解決しようとする課題】
【０００５】
しかしながら、予め登録された位置において登録情報に従った電源制御を行う従来技術では、制御内容を予め登録する必要があり、登録手順が煩雑になってしまい、効率的に消費電力を制限することは困難であった。また、利用するアプリケーション毎に起動しておく機能を登録しておく従来技術でも、同様に登録手順が煩雑である。さらに、車における従来技術では、電力制御により消費電力を低減することは困難である。
【０００６】
開示の技術は、上記に鑑みてなされたものであって、自動的に電力制御の登録が行え、効率よく消費電力を低減する移動通信端末装置及び移動通信端末装置制御方法を提供することを目的とする。
【課題を解決するための手段】
【０００７】
本願の開示する移動通信端末装置及び移動通信端末装置制御方法は、一つの態様において、位置情報取得部は、自装置の位置情報を取得する。電力供給部は、電力を供給する。電力消費部は、いずれか一方もしくは双方同時に動作する移動体通信網を用いた無線通信を行う第１無線通信部及びインターネットを用いた無線通信を行う第２無線通信部を少なくとも含み、前記電力供給部から電力を使用して動作する。条件記憶部は、前記電力消費部の動作による電力使用状態及び前記位置情報取得部により取得された位置情報を対応付けて記憶し、且つ、前記第２無線通信部が特定の接続先を検出した地点の位置情報を記憶する。電力制御部は、前記位置情報取得部により取得された位置情報が前記条件記憶部に記憶されている位置情報と一致した場合に、該位置情報に対応する電力使用状態となるように前記電力消費部を制御し、且つ、前記第１無線通信部及び前記第２無線通信部の双方同時に動作させる指示を受けた場合に、通信ができなくなった位置が、前記条件記憶部に記憶されている前記第２無線通信部が特定の接続先を検出したときの位置から所定距離より離れていれば前記第２無線通信部の動作を停止し、前記所定距離以内であれば前記第２無線通信部を動作させるよう制御する。
【発明の効果】
【０００８】
本願の開示する移動通信端末装置及び移動通信端末装置制御方法の一つの態様によれば、自動的に電力制御の登録が行え、効率よく消費電力を低減することができるという効果を奏する。
【図面の簡単な説明】
【０００９】
【図１】図１は、実施例１に係る移動通信端末装置のブロック図である。
【図２】図２は、実施例１に係る移動通信端末装置における電力制御条件の登録処理のフローチャートである。
【図３】図３は、実施例１に係る移動通信端末装置における電力使用状態の復元の処理のフローチャートである。
【図４】図４は、実施例２及び実施例３に係る移動通信端末装置のブロック図である。
【図５】図５は、実施例２に係る移動通信端末装置の電力制御条件の登録処理のフローチャートである。
【図６】図６は、実施例２の変形例に係る移動通信端末装置の電力制御条件の登録処理のフローチャートである。
【図７】図７は、実施例３に係る移動通信端末装置における電力使用状態の復元の処理のフローチャートである。
【図８】図８は、移動通信端末装置のハードウェア構成図である。
【発明を実施するための形態】
【００１０】
以下に、本願の開示する移動通信端末装置及び移動通信端末装置制御方法の実施例を図面に基づいて詳細に説明する。なお、以下の実施例により本願の開示する移動通信端末装置及び移動通信端末装置制御方法が限定されるものではない。移動通信端末装置としては、例えば、携帯電話やＰＤＡ（Personal  Data  Assistant）などがある。
【実施例１】
【００１１】
図１は、実施例１に係る移動通信端末装置のブロック図である。図１に示すように、本実施例に係る移動通信端末装置は、入力制御部１、位置情報取得部２、条件記憶部３、電力制御部４、ＷｉＦｉ制御部５、Ｂｌｕｅｔｏｏｔｈ制御部６、３ＧＮＷ（3rd  Generation  Network）制御部７、表示制御部８及び電力供給部９を有している。
【００１２】
電力供給部９は、充電式バッテリーなどの電源である。そして、電力供給部９は、ＷｉＦｉ制御部５、Ｂｌｕｅｔｏｏｔｈ制御部６、３ＧＮＷ制御部７及び表示制御部８に電力を供給している。
【００１３】
ＷｉＦｉ制御部５は、電力供給部９から供給される電力を使用してＷｉＦｉを用いた無線通信を行う。ＷｉＦｉ制御部５は、動作を開始しなければ電力の消費を抑えることができる。ここで、動作の開始とは、後述する電力制御部４からの機能のＯＮの指示を受けて、ＷｉＦｉ制御部５が機能を起動することである。
【００１４】
Ｂｌｕｅｔｏｏｔｈ制御部６は、電力供給部９から供給される電力を使用してＢｌｕｅｔｏｏｔｈを用いた近距離無線通信を行う。Ｂｌｕｅｔｏｏｔｈ制御部６は、動作を開始しなければ電力の消費を抑えることができる。ここで、動作の開始とは、後述する電力制御部４からの機能のＯＮの指示を受けて、Ｂｌｕｅｔｏｏｔｈ制御部６が機能を起動することである。
【００１５】
３ＧＮＷ制御部７は、電力供給部９から供給される電力を使用して３Ｇ回線を用いた無線通信を行う。３ＧＮＷ制御部７は、動作を開始しなければ電力の消費を抑えることができる。ここで、動作の開始とは、後述する電力制御部４からの機能のＯＮの指示を受けて、３ＧＮＷ制御部７が機能を起動することである。
【００１６】
表示制御部８は、電力供給部９から供給される電力を使用して例えば液晶画面などの表示部に対して画像を表示させる。表示制御部８は、動作を開始しなければ電力の消費を抑えることができる。ここで、動作の開始とは、後述する電力制御部４からの機能のＯＮの指示を受けて、表示制御部８が機能を起動することである。
【００１７】
ＷｉＦｉ制御部５、Ｂｌｕｅｔｏｏｔｈ制御部６、３ＧＮＷ制御部７及び表示制御部８が、「電力消費部」の一例にあたる。以下では、ＷｉＦｉ制御部５、Ｂｌｕｔｏｏｔｈ制御部６、３ＧＮＷ制御部７及び表示制御部８のそれぞれを区別しない場合には「制御対象」と言う場合がある。また、本実施例では、電力消費部の一例として「ＷｉＦｉ制御部５、Ｂｌｕｅｔｏｏｔｈ制御部６、３ＧＮＷ制御部７及び表示制御部８」を挙げているが、電力を使用して動作を行う機能を有していれば他の機能を有するものであれば「電力消費部」としてよい。
【００１８】
入力制御部１は、キーパッドなどを用いて操作者が入力した動作指示を受信する。例えば、入力制御部１は、操作者が入力した各部の機能のＯＮ／ＯＦＦの指示を受信する。ここで、各部の機能のＯＮ／ＯＦＦの指示とは、例えば、図１におけるＷｉＦｉ制御部５、Ｂｌｕｔｏｏｔｈ制御部６、３ＧＮＷ制御部７及び表示制御部８のうちいずれの制御対象の機能をＯＮ又はＯＦＦするかの指示である。そして、入力制御部１は、受信した制御対象の機能のＯＮ／ＯＦＦの指示などの動作指示を電力制御部４へ出力する。
【００１９】
位置情報取得部２は、本実施例ではＧＰＳ（Global  Positioning  System）を有している。位置情報取得部２は、自己が有するＧＰＳを用いて自装置の位置情報を取得する。本実施例では、位置情報取得部２は、位置情報として緯度経度情報を取得する。そして、位置情報取得部２は、取得した位置情報を電力制御部４へ出力する。ここで、本実施例では、位置情報取得部２は、位置情報として緯度経度情報を取得するが、これは位置を特定できれば他の情報でも良く、例えば、ＷｉＦｉによる通信を基に位置情報を取得しても良い。
【００２０】
条件記憶部３は、メモリやハードディスクなどの記憶装置である。
【００２１】
電力制御部４は、位置情報取得部２から常時自装置の位置情報の入力を受ける。また、電力制御部４は、操作者が入力した制御対象の機能のＯＮ／ＯＦＦの指示を入力制御部１から受ける。
【００２２】
そして、電力制御部４は、受信した制御対象の機能のＯＮ／ＯＦＦの指示から、ＷｉＦｉ制御部５、Ｂｌｕｔｏｏｔｈ制御部６、３ＧＮＷ制御部７及び表示制御部８のいずれの機能をＯＮ又はＯＦＦにするかの情報を取得する。ある制御対象に対する機能のＯＮ／ＯＦＦとは、その制御部を動作させるか又は停止させるかにあたる。ここで、ＷｉＦｉ制御部５、Ｂｌｕｔｏｏｔｈ制御部６、３ＧＮＷ制御部７及び表示制御部８のいずれも動作するには電力を消費し、動作を停止した場合には電力の消費は無くなる。すなわち、各部の動作により電力の使用状態が変化する。したがって、各部の機能をＯＮ又はＯＦＦすることは電力の使用状態を変更することにあたる。そこで、各部における機能をＯＮにした状態及び機能をＯＦＦにした状態、言い換えれば動作が停止した状態又は動作している状態をまとめて「電力使用状態」として表す。
【００２３】
次に、電力制御部４は、位置情報取得部２から受信した位置情報に対応させて操作者から指定された電力使用状態の情報及びその制御対象の情報を条件記憶部３に記憶させる。この位置情報及び電力使用状態の対応を以下では、「電力制御条件」という場合がある。すなわち、電力制御部４は、電力制御条件を条件記憶部３に記憶させる。電力制御部４は、電力制御条件を、操作者からの制御対象の機能のＯＮ／ＯＦＦの入力が行われる度に、条件記憶部３に記憶させていく。ここで、電力制御部４は、同じ位置において操作者からの各部の機能のＯＮ／ＯＦＦの指示の入力が行われた場合、新しい電力使用状態をその位置での電力使用状態として条件記憶部３に記憶させることで、古い電力制御条件を更新する。このようにして、電力制御部４は、各位置に対応するＷｉＦｉ制御部５、Ｂｌｕｔｏｏｔｈ制御部６、３ＧＮＷ制御部７及び表示制御部８の電力使用状態を電力制御条件として条件記憶部３に記憶させ登録する。
【００２４】
電力制御部４は、操作者からの各部の機能のＯＮ／ＯＦＦの指示に応じて、指定された制御対象が動作するよう制御する。例えば、電力制御部４は、ＷｉＦｉ制御部５の機能のＯＮの指示を受信した場合、ＷｉＦｉ制御部５の動作を開始させる。また、例えば、３ＧＮＷ制御部７の機能のＯＦＦの指示を受信した場合、電力制御部４は、３ＧＮＷ制御部７の動作を停止する。
【００２５】
また、電力制御部４は、タイマーを有している。そして、電力制御部４は、予め決められた一定時間の間に各部に対する動作指示の入力を入力制御部１から受信しない場合には、省電力モードとなるようＷｉＦｉ制御部５、Ｂｌｕｔｏｏｔｈ制御部６、３ＧＮＷ制御部７及び表示制御部８を制御する。ここで、省電力モードとは、自装置の各種機能の動作を低下することにより消費電力を低減するモードである。各種機能の動作の低下とは、例えば、表示制御部８による液晶画面への表示の停止などがある。また、各種機能の動作の低下の他の例として、ＷｉＦｉ制御部５、Ｂｌｕｔｏｏｔｈ制御部６及び３ＧＮＷ制御部７による接続先の検出を間欠的に動作させることや、通信速度を低下させるなどがある。この省電力モードにおける状態を「スリープ状態」と言う場合がある。
【００２６】
さらに、電力制御部４は、省電力モードで自装置が動作している状態で、操作者からの動作指示の入力を入力制御部１から受信した場合、ＷｉＦｉ制御部５、Ｂｌｕｔｏｏｔｈ制御部６、３ＧＮＷ制御部７及び表示制御部８を通常モードで動作するよう制御する。ここで、通常モードとは、省電力モードにおける各部の動作の低下を解除して動作する状態である。例えば、表示制御部８に対して待ち受け画面を表示部に表示させたり、ＷｉＦｉ制御部５、Ｂｌｕｔｏｏｔｈ制御部６及び３ＧＮＷ制御部７による接続先の検出を継続に動作させたり、通信速度を戻したりなどである。以下では、省電力モードから通常モードに変化することを「スリープ状態からの復帰」と言う場合がある。
【００２７】
そして、電力制御部４は、スリープ状態から復帰したタイミングで位置情報取得部２から受信した位置で条件記憶部３を検索する。そして、電力制御部４は、スリープ状態から復帰した位置に対応する電力制御条件が条件記憶部３に記憶されているか否かを判定する。ここで、電力制御部４は、本実施例では、実際の位置情報として、ＷｉＦｉなどの無線信号の到達範囲やＧＰＳの位置情報取得機能の精度を考慮して、予め決められた一定範囲を閾値として、取得した緯度経度情報を中心に閾値内を同一の位置として判定する。本実施例では、例えば、この一定範囲を５０ｍとしたものとする。
【００２８】
スリープ状態から復帰した位置における電力制御条件が条件記憶部３に記憶されている場合、電力制御部４は、スリープ状態から復帰した位置における電力使用状態の情報及びその制御対象の情報を取得する。そして、電力制御部４は、取得した電力使用状態となるように制御対象に対する制御を行う。言い換えれば、電力制御部４は、その位置における制御対象の電力使用状態を復元する。例えば、電力制御部４は、スリープ状態から復帰した位置における情報としてＷｉＦｉ制御部５の機能のＯＮの情報を取得した場合、ＷｉＦｉ制御部５に対して動作を開始するよう制御する。逆に、スリープ状態から復帰した位置における情報としてＷｉＦｉ制御部５の機能のＯＦＦの情報を取得した場合、ＷｉＦｉ制御部５に対して動作を停止するよう制御する。
【００２９】
ここで、本実施例では、スリープ状態からの復帰をトリガとして電力使用状態の復元を行っているがこのトリガは他のタイミングを用いても良い。例えば、移動通信端末装置の電源の投入をトリガとしてもよいし、繰り替えし周期を予め決めておき、その周期毎に電力使用状態の復元を行ってもよい。これに対し、常に位置情報を取得して電力状態の復元を行う場合、その分の消費電力が膨らみ、逆に消費電力がかかってしまうおそれがある。この点、本実施例のように、所定のトリガを契機に位置情報の取得及び電力状態の復元を行うことで消費電力を抑えることができる。
【００３０】
また、本実施例では、ＷｉＦｉ制御部５、Ｂｌｕｔｏｏｔｈ制御部６、３ＧＮＷ制御部７及び表示制御部８を例に電力使用状態の復元を説明しているが、電力を使用して動作を行う機能を有していれば電力使用状態の復元対象とすることに特に制限はない。
【００３１】
次に、図２を参照して、本実施例に係る移動通信端末装置における電力制御条件の登録処理の流れについて説明する。図２は、実施例１に係る移動通信端末装置における電力制御条件の登録処理のフローチャートである。
【００３２】
操作者は、ＷｉＦｉ制御部５、Ｂｌｕｔｏｏｔｈ制御部６、３ＧＮＷ制御部７及び表示制御部８のいずれの機能をＯＮ又はＯＦＦさせるのかの指示を、キーパッドなどを用いて入力する（ステップＳ１０１）。入力制御部１は、操作者からの入力された機能のＯＮ／ＯＦＦの情報及びその制御対象の情報を電力制御部４へ出力する。
【００３３】
電力制御部４は、操作者から機能のＯＮ／ＯＦＦの指示を受けた地点の位置情報を位置情報取得部２から取得する（ステップＳ１０２）。
【００３４】
そして、電力制御部４は、操作者から機能のＯＮ／ＯＦＦの指示を受けた地点の位置情報に対応させて、電力使用状態の情報及び機能のＯＮ／ＯＦＦの対象の情報を条件記憶部３に記憶させ電力制御条件を登録する（ステップＳ１０３）。
【００３５】
そして、電力制御部４は、操作者からの各部の機能のＯＮ／ＯＦＦの指示に応じて、指定された制御対象が動作するよう制御する（ステップＳ１０４）。
【００３６】
次に、図３を参照して、本実施例に係る移動通信端末装置における電力使用状態の復元の処理の流れについて説明する。図３は、実施例１に係る移動通信端末装置における電力使用状態の復元の処理のフローチャートである。図３のフローは、移動通信端末装置が省電力モードで動作している状態から始まるものとする。
【００３７】
電力制御部４は、操作者からの動作指示の入力を入力制御部１から受信する。その後、電力制御部４は、各部の動作を通常モードに切り替え、自装置をスリープ状態から復帰させる（ステップＳ２０１）。
【００３８】
そして、電力制御部４は、スリープ状態から復帰した地点の位置情報を位置情報取得部２から取得する（ステップＳ２０２）。
【００３９】
電力制御部４は、スリープ状態から復帰した地点の位置情報と一致する位置情報が条件記憶部３に記憶されている電力制御条件にあるか否かを判定する（ステップＳ２０３）。一致する電力制御条件がある場合（ステップＳ２０３肯定）、電力制御部４は、条件記憶部３に記憶されているスリープ状態から復帰した位置に対応する電力使用状態になるように、制御対象を制御する（ステップＳ２０４）。
【００４０】
これに対して、一致する位置情報がない場合（ステップＳ２０３否定）、電力制御部４は、電力使用状態の復元を行わずに動作を終了する。その後、電力制御部４は、スリープ状態からの復帰が発生するまで待機し、スリープ状態からの復帰が発生すると、図３のフローチャートの処理を実行する。
【００４１】
以上に説明したように、本実施例に係る移動通信端末装置は、各部の機能のＯＮ／ＯＦＦが行われた位置を自動的に記憶し、記憶している位置に移動通信端末装置がある場合、記憶している電力使用状態となるように各部を動作させる。したがって、各部の機能のＯＮ／ＯＦＦが行われた位置を自動的に記憶するので、利用者による明示的な電源制御の登録なしで電力制御条件が自動的に登録され、電力制御の自動的な学習が実現でき、操作者の手間を軽減できる。さらに、記憶している位置において記憶している電力使用状態となるように各部を動作させることで、操作者にとって不要と思われる機能の動作を抑えることができ、消費電力を効率よく低減することができる。
【００４２】
また、自動的に電力制御条件を登録するので、登録のし忘れを防止することができ、実際の利用場所を網羅できる。また、実際の利用状況に基づいて電力制御条件を登録するので、実際の利用に対応した適切な電力制御を行うことができる。
【実施例２】
【００４３】
図４は、実施例２及び実施例３に係る移動通信端末装置のブロック図である。図４に示すように、本実施例に係る移動通信端末装置は、実施例１に係る移動通信端末装置に動作監視部１０をさらに加えたものである。
【００４４】
入力制御部１、位置情報取得部２、ＷｉＦｉ制御部５、Ｂｌｕｅｔｏｏｔｈ制御部６、３ＧＮＷ制御部７、表示制御部８及び電力供給部９は、実施例１における各部と同様の機能を有するものであるので、ここでは説明を省略する。
【００４５】
電力制御部４は、入力制御部１から動作指示の入力を受ける。そして、電力制御部４は、受信した動作指示に応じてＷｉＦｉ制御部５、Ｂｌｕｅｔｏｏｔｈ制御部６、３ＧＮＷ制御部７及び表示制御部８を制御する。この動作指示には、例えば、各部の機能のＯＮ／ＯＦＦや各部に対する処理の実行命令などが含まれる。例えば、各部の機能のＯＮ／ＯＦＦの入力を受けた場合には、電力制御部４は、対応する機能を起動させる。
【００４６】
また、電力制御部４は、予め決められた所定期間を動作制御の閾値として記憶している。そして、電力制御部４は、ＷｉＦｉ制御部５、Ｂｌｕｅｔｏｏｔｈ制御部６、３ＧＮＷ制御部７又は表示制御部８の動作情報を後述する動作監視部１０から受信する。ここで、動作情報とは、例えば、ＷｉＦｉ制御部５、Ｂｌｕｅｔｏｏｔｈ制御部６、３ＧＮＷ制御部７又は表示制御部８における処理の実行情報である。例えば、ＷｉＦｉ制御部５がＷｉＦｉによる無線通信を行った場合、電力制御部４は、ＷｉＦｉ制御部５が処理を実行したという動作情報を動作監視部１０から受信する。すなわち、電力制御部４は、動作情報を受信することで、各部が使用された否かを判定することができる。そして、電力制御部４は、動作監視部１０から受信した動作情報を用いてＷｉＦｉ制御部５、Ｂｌｕｅｔｏｏｔｈ制御部６、３ＧＮＷ制御部７及び表示制御部８のそれぞれの不使用状態の継続時間を計測する。そして、ＷｉＦｉ制御部５、Ｂｌｕｅｔｏｏｔｈ制御部６、３ＧＮＷ制御部７又は表示制御部８のうちのいずれかの不使用状態の継続時間が閾値を超えた場合、電力制御部４は、不使用状態の継続時間が閾値を超えた制御対象の機能のＯＦＦを決定する。
【００４７】
さらに、電力制御部４は、機能のＯＦＦを決定した地点の位置情報を位置情報取得部２から取得する。
【００４８】
そして、電力制御部４は、機能のＯＦＦを決定した地点の位置情報に対応させて、機能ＯＦＦに対応する電力使用状態及び機能ＯＦＦの制御対象の情報を条件記憶部３に記憶させる。さらに、電力制御部４は、ＷｉＦｉ制御部５、Ｂｌｕｅｔｏｏｔｈ制御部６、３ＧＮＷ制御部７又は表示制御部８のうちの機能のＯＦＦを決定した制御対象の動作を停止させるように制御する。
【００４９】
また、電力制御部４は、実施例１と同様に、各部の動作状態に合わせて省電力モードになるように制御する。さらに、電力制御部４は、操作者からの動作指示の入力を受けて、省電力モードから通常モードに切り替わるように制御する。
【００５０】
そして、電力制御部４は、スリープ状態から復帰した場合に、位置情報取得部２から受信した位置で条件記憶部３を検索し、スリープ状態から復帰した地点の位置情報に一致する電力制御条件が条件記憶部３に記憶されているか否かを判定する。スリープ状態から復帰した地点の位置情報に対応する電力制御条件が条件記憶部３に記憶されている場合には、電力制御部４は、スリープ状態から復帰した位置における電力使用状態の情報及びその制御対象を取得する。そして、電力制御部４は、取得した電力使用状態になるように制御対象に対して制御を行う。例えば、電力制御部４は、スリープ状態から復帰した位置における電力使用状態の情報としてＷｉＦｉ制御部５のＯＦＦを取得した場合、ＷｉＦｉ制御部５の動作を停止するよう制御する。
【００５１】
動作監視部１０は、ＷｉＦｉ制御部５、Ｂｌｕｅｔｏｏｔｈ制御部６、３ＧＮＷ制御部７及び表示制御部８の各部が、それぞれの処理を実行したか否かを判定する。例えば、動作監視部１０は、実際の各部の動作を監視し、監視対象において予め決められた処理を実行したときに、その監視対象が処理を実行したと判定してもよい。また、例えば、動作監視部１０は、操作者からの処理実行命令が各部に入力された場合に、処理を実行したと判定してもよい。
【００５２】
そして、動作監視部１０は、ＷｉＦｉ制御部５、Ｂｌｕｅｔｏｏｔｈ制御部６、３ＧＮＷ制御部７及び表示制御部８の動作情報を電力制御部４へ通知する。例えば、動作監視部１０は、ＷｉＦｉ制御部５、Ｂｌｕｅｔｏｏｔｈ制御部６、３ＧＮＷ制御部７及び表示制御部８のうち処理を実行した制御対象があった場合、処理を実行した制御対象の情報を電力制御部４へ通知する。
【００５３】
次に、図５を参照して、本実施例に係る移動通信端末装置の電力制御条件の登録処理の流れについて説明する。図５は、実施例２に係る移動通信端末装置の電力制御条件の登録処理のフローチャートである。
【００５４】
動作監視部１０は、ＷｉＦｉ制御部５、Ｂｌｕｅｔｏｏｔｈ制御部６、３ＧＮＷ制御部７及び表示制御部８における各部の動作を監視する（ステップＳ３０１）。そして、動作監視部１０は、監視対象が処理を行ったことを電力制御部４へ通知する。
【００５５】
電力制御部４は、ＷｉＦｉ制御部５、Ｂｌｕｅｔｏｏｔｈ制御部６、３ＧＮＷ制御部７及び表示制御部８のうち不使用の継続時間が閾値を超えたものがあるかを判定する（ステップＳ３０２）。電力制御部４が不使用の継続時間が閾値を超えたものが無いと判定した場合（ステップＳ３０２否定）、ステップＳ３０１へ戻る。
【００５６】
これに対して、不使用の継続時間が閾値を超えたものがある場合（ステップＳ３０２肯定）、電力制御部４は、不使用の継続時間が閾値を超えた制御対象の機能のＯＦＦを決定する（ステップＳ３０３）。
【００５７】
そして、電力制御部４は、機能のＯＦＦを決定した地点の位置情報を位置情報取得部２から取得する（ステップＳ３０４）。
【００５８】
次に、電力制御部４は、機能のＯＦＦを決定した地点の位置情報に対応させて、機能のＯＦＦの対象の情報及び機能のＯＦＦに対応する電力使用状態を条件記憶部３に記憶させ電力制御条件を登録する（ステップＳ３０５）。
【００５９】
そして、電力制御部４から機能のＯＦＦの制御を受けた制御対象は、自己の機能のＯＦＦを実行し動作を停止する（ステップＳ３０６）。
【００６０】
また、本実施例における電力制御条件を用いた電力制御部４による各部の制御の流れは実施例１において図３を用いて説明した流れと同様であるので、説明は省略する。
【００６１】
以上に説明したように、本実施例に係る移動通信端末装置は、機能がＯＮの状態で予め決められた所定期間不使用の状態が継続すると機能をＯＦＦにすることを決定し、その位置と電力使用状態とを登録する。そして、本実施例に係る移動通信端末装置は、登録した位置において、登録してある電力使用状態になるように制御する。ある場所において一定期間機能を使用しないということは、その場所はその機能を使用しないまたはできない場所であると考えることができる。そこで、本実施例に係る移動通信端末装置は、特定の機能を使用しないもしくはできない場所を自動的に登録することができ、さらに、その場所において使用しない機能をＯＦＦすることで無駄な消費電力を削減することができる。
【００６２】
（変形例）
次に、実施例２に係る移動通信端末装置の変形例について説明する。実施例２では、制御対象のいずれかの不使用の継続時間が閾値を超えた場合に機能のＯＦＦを決定した。これに対して、本変形例は、互いに代替可能な機能を有する２つの制御対象の双方が動作している状態で一方の不使用の継続時間が閾値を超えた場合に機能をＯＦＦすることが実施例２と異なるものである。そこで以下では、機能のＯＦＦの決定の動作について主に説明する。
【００６３】
例えば、ＷｉＦｉ制御部５によるＷｉＦｉを用いた無線通信と３ＧＮＷ制御部７による３Ｇ回線を用いた通信とは代替可能である。そこで、以下では、互いに代替可能な機能を有する２つの制御対象として、ＷｉＦｉ制御部５及び３ＧＮＷ制御部７を例に説明する。
【００６４】
電力制御部４は、ＷｉＦｉ制御部５又は３ＧＮＷ制御部７に対する機能のＯＮ命令を入力制御部１から受信し、機能をＯＮするよう制御した場合には、機能をＯＮした制御対象が動作していると判定する。また、電力制御部４は、ＷｉＦｉ制御部５又は３ＧＮＷ制御部７に対する機能のＯＦＦ命令を入力制御部１から受信し、機能をＯＦＦするよう制御した場合には、機能をＯＮした制御対象が動作していないと判定する。これらの判定を用いて、電力制御部４は、ＷｉＦｉ制御部５及び３ＧＮＷ制御部７の双方が動作しているか否かを判定する。
【００６５】
さらに、電力制御部４は、ＷｉＦｉ制御部５及び３ＧＮＷ制御部７のそれぞれの動作情報を動作監視部１０から受信する。
【００６６】
そして、電力制御部４は、ＷｉＦｉ制御部５及び３ＧＮＷ制御部７の双方が動作している状態で、いずれか一方の不使用の継続時間が閾値を超えるか否かを判定する。いずれか一方の不使用の継続時間が閾値を超える場合とは、例えば、閾値として１０分を用いた場合、ＷｉＦｉ制御部５及び３ＧＮＷ制御部７の双方の機能がＯＮにも関わらず、３Ｇ回線のみで通信が１０分間行われていた場合などである。
【００６７】
電力制御部４は、いずれか一方の不使用の継続時間が閾値を超えた場合、使用していない側の機能のＯＦＦを決定する。例えば、上記のようにＷｉＦｉ制御部５及び３ＧＮＷ制御部７の双方の機能がＯＮにも関わらず、３Ｇ回線のみで通信が１０分間行われていた場合には、電力制御部４は、ＷｉＦｉ制御部５の機能のＯＦＦを決定する。
【００６８】
さらに、電力制御部４は、機能のＯＦＦを決定した時点での位置情報を位置情報取得部２から取得する。
【００６９】
そして、電力制御部４は、機能のＯＦＦを決定した地点の位置情報に対応させて、機能ＯＦＦに対応する電力使用状態及び機能ＯＦＦの制御対象の情報を条件記憶部３に記憶させることで電力制御条件を登録する。さらに、電力制御部４は、ＷｉＦｉ制御部５又は３ＧＮＷ制御部７のうち機能のＯＦＦを決定した方の動作を停止するように制御する。
【００７０】
ここで、本変形例においても、登録した電力制御条件を用いた電力制御部４による制御は実施例２の場合と同様であるので説明を省略する。
【００７１】
次に、図６を参照して、本変形例に係る移動通信端末装置の電力制御条件の登録処理の流れについて説明する。図６は、実施例２の変形例に係る移動通信端末装置の電力制御条件の登録処理のフローチャートである。
【００７２】
動作監視部１０は、ＷｉＦｉ制御部５、Ｂｌｕｅｔｏｏｔｈ制御部６、３ＧＮＷ制御部７及び表示制御部８における各部の動作を監視する（ステップＳ４０１）。そして、動作監視部１０は、監視対象が処理を行ったことを電力制御部４へ通知する。
【００７３】
電力制御部４は、ＷｉＦｉ制御部５が動作しているか否か、すなわちＷｉＦｉ通信の機能がＯＮとなっているか否かを判定する（ステップＳ４０２）。電力制御部４がＷｉＦｉ通信の機能がＯＦＦと判定した場合（ステップＳ４０２否定）、ステップＳ４０１へ戻る。
【００７４】
これに対して、ＷｉＦｉ通信の機能がＯＮの場合（ステップＳ４０２肯定）、電力制御部４は、３ＧＮＷ制御部７が動作しているか否か、すなわち３Ｇ通信の機能がＯＮとなっているか否かを判定する（ステップＳ４０３）。電力制御部４が３Ｇ通信の機能がＯＦＦと判定した場合（ステップＳ４０３否定）、ステップＳ４０１に戻る。
【００７５】
これに対して、３Ｇ通信の機能がＯＮの場合（ステップＳ４０３肯定）、電力制御部４は、ＷｉＦｉ制御部５又は３ＧＮＷ制御部７のいずれか一方の不使用の継続時間が閾値を超えたかを判定する（ステップＳ４０４）。電力制御部４が双方の不使用の継続時間が閾値を超えていないと判定した場合（ステップＳ４０４否定）、ステップＳ４０１に戻る。
【００７６】
これに対して、いずれか一方の不使用の継続時間が閾値を超えている場合（ステップＳ４０４肯定）、電力制御部４は、不使用の継続時間が閾値を超えている側の機能のＯＦＦを決定する（ステップＳ４０５）。
【００７７】
そして、電力制御部４は、機能のＯＦＦを決定した地点の位置情報を位置情報取得部２から取得する（ステップＳ４０６）。
【００７８】
次に、電力制御部４は、機能のＯＦＦを決定した地点の位置情報に対応させて、機能のＯＦＦの対象の情報及び機能のＯＦＦに対応する電力使用状態を条件記憶部３に記憶させ電力制御条件を登録する（ステップＳ４０７）。
【００７９】
そして、電力制御部４から機能のＯＦＦの制御を受けた制御対象は、自己の機能のＯＦＦを実行し動作を停止する（ステップＳ４０８）。
【００８０】
以上に説明したように、実施例２の変形例に係る移動通信端末装置は、互いの機能を代替できる２つの機能が動作している場合に、一方が予め決められた所定期間不使用の状態が継続すると機能をＯＦＦにすることを決定し、その位置と電力使用状態とを登録する。互いの機能が代替できる２つの機能が動作している場合、一方の機能をＯＦＦにしても他方で代替できるので、より安全に機能をＯＦＦにすることができる。そこで、本変形例に係る移動通信端末装置は、安全を確保しながら機能をＯＦＦして、無駄な消費電力を削減することができる。
【００８１】
また、以上の実施例２及びその変形例において説明した機能は、実施例１の機能と組み合わせて使用することも可能である。組み合わせて使用した場合、より細やかな電源制御を行うことができる。
【実施例３】
【００８２】
次に、実施例３に係る移動通信端末装置について説明する。本実施例にかかる移動通信端末装置の機能ブロックも図４のブロック図で表される。
【００８３】
入力制御部１、位置情報取得部２、ＷｉＦｉ制御部５、Ｂｌｕｅｔｏｏｔｈ制御部６、３ＧＮＷ制御部７、表示制御部８及び電力供給部９は、実施例１における同様の機能を有するものであるので、ここでは説明を省略する。
【００８４】
動作監視部１０は、ＷｉＦｉ制御部５の動作を監視し、ＷｉＦｉ制御部５がＷｉＦｉ通信の接続先であるアクセスポイントを検出した場合、アクセスポイント検出の情報を電力制御部４へ通知する。
【００８５】
また、動作監視部１０は、ＷｉＦｉ制御部５の動作を監視し、ＷｉＦｉ通信の接続状態を検出する。そして、動作監視部１０は、検出したＷｉＦｉ通信の接続状態の情報を電力制御部４へ通知する。
【００８６】
電力制御部４は、ＷｉＦｉ制御部５によるアクセスポイントの検出の通知を動作監視部１０から受ける。また、電力制御部４は、アクセスポイントの検出の通知を受けた地点の位置情報を位置情報取得部２から取得する。そして、電力制御部４は、アクセスポイントの検出の通知を受けた地点の位置情報を条件記憶部３に記憶させる。
【００８７】
電力制御部４は、ＷｉＦｉ制御部５又は３ＧＮＷ制御部７に対する機能のＯＮ命令を入力制御部１から受信し、機能をＯＮするよう制御した場合には、機能をＯＮした制御対象が動作していると判定する。また、電力制御部４は、ＷｉＦｉ制御部５又は３ＧＮＷ制御部７に対する機能のＯＦＦ命令を入力制御部１から受信し、機能をＯＦＦするよう制御した場合には、機能をＯＮした制御対象が動作していないと判定する。これらの判定を用いて、電力制御部４は、ＷｉＦｉ制御部５及び３ＧＮＷ制御部７の双方が動作しているか否かを判定する。
【００８８】
また、電力制御部４は、ＷｉＦｉ通信の接続状態の情報を動作監視部１０から受信する。そして、電力制御部４は、受信したＷｉＦｉ通信の接続状態の情報から、ＷｉＦｉ通信が接続状態から非接続状態に変化したか否かを判定する。
【００８９】
電力制御部４は、ＷｉＦｉ制御部５及び３ＧＮＷ制御部７の双方が動作している場合又はＷｉＦｉ通信が接続状態から非接続状態に変化した場合、そのときの地点の位置情報を位置情報取得部２から取得する。そして、電力制御部４は、取得した位置と条件記憶部３に記憶されているアクセスポイントの位置との距離を算出する。電力制御部４は、算出した距離が、予め決められた所定距離以内か否かを判定する。
【００９０】
算出した距離が所定距離以内であれば、電力制御部４は、ＷｉＦｉ制御部５の機能をＯＦＦにする。これに対して、算出した距離が所定距離より長ければ、電力制御部４は、ＷｉＦｉ制御部５の機能がＯＮの状態を継続させる。
【００９１】
次に、図７を参照して、本実施例に係る移動通信端末装置における電力使用状態の復元の処理の流れについて説明する。図７は、実施例３に係る移動通信端末装置における電力使用状態の復元の処理のフローチャートである。
【００９２】
動作監視部１０は、ＷｉＦｉ制御部５の動作を監視する（ステップＳ５０１）。そして、動作監視部１０は、ＷｉＦｉ制御部５がＷｉＦｉ通信の接続先であるアクセスポイントを検出した場合、アクセスポイント検出の情報を電力制御部４へ通知する。
【００９３】
電力制御部４は、ＷｉＦｉ制御部５が動作しているか否か、すなわちＷｉＦｉ通信の機能がＯＮとなっているか否かを判定する（ステップＳ５０２）。電力制御部４がＷｉＦｉ通信の機能がＯＦＦと判定した場合（ステップＳ５０２否定）、ステップＳ５０１へ戻る。
【００９４】
これに対して、ＷｉＦｉ通信の機能がＯＮの場合（ステップＳ５０２肯定）、電力制御部４は、３ＧＮＷ制御部７が動作しているか否か、すなわち３Ｇ通信の機能がＯＮとなっているか否かを判定する（ステップＳ５０３）。３Ｇ通信の機能がＯＦＦの場合（ステップＳ５０３否定）、電力制御部４は、ＷｉＦｉ通信が接続状態から非接続状態に移行したか否かを判定する（ステップＳ５０４）。電力制御部４がＷｉＦｉ通信の接続状態から非接続状態への移行が発生して無いと判定した場合（ステップＳ５０４否定）、ステップＳ５０１へ戻る。
【００９５】
３Ｇ通信の機能がＯＮの場合（ステップＳ５０３肯定）又はＷｉＦｉ通信が接続状態から非接続状態に移行した場合（ステップＳ５０４肯定）、電力制御部４は、現地点の位置情報を位置情報取得部２から取得する（ステップＳ５０５）。
【００９６】
電力制御部４は、現地点の位置とアクセスポイントの位置との距離を算出する。そして、電力制御部４は、算出した距離が予め決められた所定距離以内か否かを判定する（ステップＳ５０６）。電力制御部４が、算出した距離が予め決められた所定距離以内であると判定した場合（ステップＳ５０６肯定）、ステップＳ５０１へ戻る。
【００９７】
これに対して、算出した距離が予め決められた所定距離を超えている場合（ステップＳ５０６否定）、電力制御部４は、ＷｉＦｉ制御部５の機能をＯＦＦにすることで、ＷｉＦｉ通信の動作を停止させる（ステップＳ５０７）。
【００９８】
以上に説明したように、実施例３に係る移動通信端末装置は、ＷｉＦｉ通信と３Ｇ通信とが動作している場合又はＷｉＦｉ通信が切断された場合に、ＷｉＦｉ通信のアクセスポイントからの距離が離れている場合には、ＷｉＦｉ通信の機能をＯＦＦにする。ＷｉＦｉ通信と３Ｇ通信とが動作している場合、ＷｉＦｉ通信は３Ｇ通信により代替できる。そして、ＷｉＦｉ通信のアクセスポイントの通信圏外にある場合にはＷｉＦｉ通信を動作させておく意味が無い。そこで、ＷｉＦｉ通信をＯＦＦにすることで、安全に無駄な消費電力の削減を図ることができる。また、ＷｉＦｉ通信が切断された場合、通信圏外であればＷｉＦｉ通信を起動させることは無駄であるが、通信圏内にもかかわらず電波状態で切断されることもありうる。そこで、通信圏外の場合にのみＷｉＦｉ通信をＯＦＦにすることで、ＷｉＦｉ通信を阻害せずに無駄な消費電力を削減することができる。
【００９９】
ここで、ＷｉＦｉなどの機能を間欠的に起動し、予め登録された接続相手を検出した場合に起動状態を継続し、接続相手を見失った場合に間欠起動状態にすることで、消費電力を抑える従来技術がある。しかし、この従来技術では、無線状態によって一時的に相手を見失った場合にも間欠起動状態になってしまい、再び相手を見つけるのに時間がかかってしまう。これに対して、本実施例に係る移動通信端末装置では、通信圏内であれば、ＷｉＦｉ通信のＯＦＦは行わないので、無線状態が悪くて通信が一時不通になっても再び相手を探すことなく、再接続を迅速に行うことができる。
【０１００】
ここで、実施例３において説明した機能は、実施例１、実施例２又は実施例２の変形例の機能と組み合わせて使用することも可能である。組み合わせて使用した場合、より細やかな電源制御を行うことができる。
【実施例４】
【０１０１】
次に、実施例４に係る移動通信端末装置について説明する。本実施例に係る移動通信端末装置の機能ブロックも図１のブロック図で表される。本実施例に係る移動通信端末装置は、位置情報として周辺雑音に基づく位置種別を用いることが実施例１と異なるものである。そこで、以下では、位置情報の取得及び取得した位置情報による電力制御について主に説明する。また、以下の説明において得に説明の無い限り実施例１と同じ符号を有する各部は同じ機能を有するものとする。
【０１０２】
位置情報取得部２は、ある地点における周辺雑音が無音状態であるか否かを判定する。さらに、位置情報取得部２は、周辺雑音が無音状態で無い場合、その地点における周辺雑音として特定周波数帯の音声強度及び音量変動を取得する。位置情報取得部２は、ある地点における周辺雑音の情報を電力制御部４に通知する。
【０１０３】
電力制御部４は、操作者による各部の機能のＯＮ又はＯＦＦの入力を入力制御部１から受けた場合、そのＯＮ／ＯＦＦの入力を受けた地点における周辺雑音の情報を位置情報取得部２から受信する。そして、電力制御部４は、受信した周辺雑音から位置種別を判定する。例えば、無音状態であれば自宅であると判定する。また、ＰＣなどのオフィス機器などの特徴的な環境雑音を有する場所であれば、特定周波数帯の音声強度に特徴があると考えられる。そこで、特定周波数帯の音声強度に特徴がある場合にはオフィスと判定する。さらに、電車の走行音などであれば、特定周波数帯の音量変動に特徴があると考えられる。そこで、特定周波数帯の音量変動に特徴がある場合には電車内と判定する。
【０１０４】
そして、電力制御部４は、ＯＮ／ＯＦＦの入力を受けた地点における位置種別に対応させて、機能のＯＮ／ＯＦＦの制御対象の情報および電力使用状態を条件記憶部３に記憶させることで電力制御条件を登録する。
【０１０５】
そして、電力制御部４は、スリープ状態から復帰したタイミングで、位置情報取得部２から周辺雑音の情報を取得する。さらに、電力制御部４は、取得した周辺雑音から現在の位置種別を判定する。そして、電力制御部４は、現在の位置種別と一致する位置種別の情報が条件記憶部３に登録されているか否かを判定する。現在の位置種別の情報と一致する情報が登録されている場合には、電力制御部４は、対応する電力使用状態になるように登録されている制御対象を制御する。
【０１０６】
例えば、自宅にいる場合には自宅のネットワーク環境に合わせて通信機能を操作するはずである。そこで、自宅の周辺雑音に合わせて機能のＯＮ／ＯＦＦを登録しておけば、自宅では自宅のネットワーク環境に合わせた機能のみを動作させることができ、無駄な消費電力を削減することができる。また、電車内ではすべての通信機能をＯＦＦにすることが考えられる。そこで、電車の周辺雑音に合わせて機能のＯＮ／ＯＦＦを登録しておけば、通信機能のＯＦＦを適切に行うことができ、無駄な消費電力を削減することができる。
【０１０７】
以上に説明したように、本実施例に係る移動通信端末装置は、周辺雑音を用いて位置種別を判定し、同じ位置種別の場所では同じ動作をするように制御ずる。これにより、例えＧＰＳなどの位置情報を取得するための通信機器が使えないような状態であっても、その位置に応じた適切な電力制御を行うことができる。
【０１０８】
ここで、実施例４において説明した機能は、実施例１、実施例２、実施例２の変形例又は実施例３の機能と組み合わせて使用することも可能である。組み合わせて使用した場合、位置情報が取得できない場合でも電力制御を行うことができ、無駄な消費電力の削減をより適切に行うことができる。
【０１０９】
〔ハードウェア構成〕
図８は、移動通信端末のハードウェア構成図である。次に、図８を参照して、上述した実施例１〜実施例３における移動通信端末装置のハードウェア構成に付いて説明する。
【０１１０】
図８に示すように、移動通信端末装置は、ユーザインタフェース１０１、ＣＰＵ（Central  Processing  Unit）１０２、記憶装置１０３、ＧＰＳ１０４、Ｂｌｕｔｏｏｔｈ通信部１０５、ＷｉＦｉ通信部１０６、３Ｇ通信部１０７、ＬＥＤ（Light  Emitting  Diode）１０８、バッテリー１０９を有している。また、ユーザインタフェース１０１は、ＬＣＤ（Liquid  Crystal  Display）１１１及び入力部１１２を有している。さらに、記憶装置１０３は、ＦＲＯＭ（Flash  Read  Only  Memory）１３１及びＲＡＭ（Random  Access  Memory）を有している。
【０１１１】
ユーザインタフェース１０１、記憶装置１０３、ＧＰＳ１０４、Ｂｌｕｔｏｏｔｈ通信部１０５、ＷｉＦｉ通信部１０６、３Ｇ通信部１０７及びＬＥＤ１０８はＣＰＵ１０２と接続されている。また、ＧＰＳ１０４、Ｂｌｕｔｏｏｔｈ通信部１０５、ＷｉＦｉ通信部１０６、３Ｇ通信部１０７、ＬＥＤ１０８及びＬＣＤ１１１はバッテリー１０９と接続されており、バッテリー１０９からの電源の供給を受ける。
【０１１２】
例えば、ＧＰＳ１０４及びＣＰＵ１０２により、図１における位置情報取得部２の機能を実現する。また、Ｂｌｅｔｏｏｔｈ通信部１０５及びＣＰＵ１０２により、図１におけるＢｌｕｅｔｏｏｔｈ制御部６の機能を実現する。また、ＷｉＦｉ通信部１０６及びＣＰＵ１０２により、図１におけるＷｉＦｉ制御部５の機能を実現する。また、ＬＣＤ１１１及びＣＰＵ１０２により、図１における表示制御部８の機能を実現する。また、バッテリー１０９は、図１における電力供給部９の機能を実現する。また、入力部１１２は、例えばキーパッドなどである。入力部１１２及びＣＰＵ１０２により、図１における入力制御部１の機能を実現する。
【０１１３】
そして、ＣＰＵ１０２及び記憶装置１０３は、図１に示した電力制御部４等の機能を実現する。具体的には、ＦＲＯＭ１３１は、図１に例示した電力制御部４などによる処理を実現する電力制御プログラムなどの各種プログラムを記憶している。そして、ＣＰＵ１０２がこれらのプログラムを読み出して実行することで、上述の各機能を実現するプロセスを生成する。ＲＡＭ１３２は、条件記憶部３の機能を実現する。具体的には、ＲＡＭ１３２は、例えば、電力制御条件などを記憶する。
【０１１４】
また、実施例４の移動通信端末装置は、図８のＧＰＳ１０４に代えてマイクなどの周辺雑音収集器を有する。この場合、その周辺雑音収集器及びＣＰＵ１０２が、図１に示す位置情報取得部２の機能を有する。
【符号の説明】
【０１１５】
１  入力制御部
２  位置情報取得部
３  条件記憶部
４  電力制御部
５  ＷｉＦｉ制御部
６  Ｂｌｕｅｔｏｏｔｈ制御部
７  ３ＧＮＷ（3rd  Generation  NetWork）制御部
８  表示制御部
９  電力供給部
１０  動作監視部
【図１】
0005887718.tif 000002
【図２】
0005887718.tif 000003
【図３】
0005887718.tif 000004
【図４】
0005887718.tif 000005
【図５】
0005887718.tif 000006
【図６】
0005887718.tif 000007
【図７】
0005887718.tif 000008
【図８】
0005887718.tif 000009